(57)【要約】    【課題】  初心者等が早期にスキー技術を習得できるスキー練習用具を提供すること。    【解決手段】  スキー練習用具１０は身体支持構造部１２と、これに付設された滑走制動部１３とを備え、身体支持構造部１２は補助スキー板部等に連結するスキー板連結部１２１と、水平構造部１２４を下方から支持する縦立構造部１２３と、一部がグリップ部１２５となっている水平構造部１２４とを備え、滑走制動部１３は制動操作部１３６と、これに連結され、滑走方向に対して抵抗を生ぜしめるブレーキ部１３７とを備えていることを、主たる構成とする。【選択図】  図１
2005270131.tif 000002
【特許請求の範囲】
【請求項１】
スキーの練習用として用いるためのスキー練習用具であって、該スキー練習用具は、
（Ａ）これを用いてスキーの練習をする練習者の身体を直接支持するための身体支持構造部と、
（Ｂ）該身体支持構造部に付設された、スキーの滑走速度を調節するための滑走制動部と、を備えてなり、
該身体支持構造部は、
（Ａ−１）既存のスキー板、または本用具に合わせて用いることのできる補助スキー板部に連結するためのスキー板連結部と、
（Ａ−２）該スキー板連結部から上方に設けられ、後記水平構造部を下方から支持する縦立構造部と、
（Ａ−３）該縦立構造部に支持されて設けられ、その少なくとも一部がグリップ部として該練習者により把握されることのできる水平構造部と、を備え、
該滑走制動部は、
（Ｂ−１）該グリップ部に近接して設けられた、該練習者により操作されることのできる制動操作部と、
（Ｂ−２）該制動操作部と連結され、滑走方向に対して抵抗を生ぜしめるブレーキ部と、を備えている、
ことを特徴とする、スキー練習用具。
【請求項２】
請求項１に記載のスキー練習用具であって、さらに、
（Ｃ）前記縦立構造部と前記水平構造部との間にこれらに連結して設けられ、前記スキー板または補助スキー板部の側方傾斜状態を調整するための側方傾斜調整部を備え、該側方傾斜調整部は、
（Ｃ−１）該水平構造部の水平維持を可能としつつ該縦立構造部を側方に傾斜させることのできるよう、該縦立構造部と該水平構造部の間のいずこかに、長手方向に伸縮可能な弾性部位が一または複数設けられている、
ことを特徴とする、スキー練習用具。
【請求項３】
請求項２に記載のスキー練習用具であって、
（Ｃ−２）前記側方傾斜調整部には、前記弾性部位の伸縮変化を起こさせないための伸縮固定手段が設けられていることを特徴とする、スキー練習用具。
【請求項４】
請求項３に記載のスキー練習用具であって、
（Ｃ−３）前記側方傾斜調整部は、前記弾性部位の設けられている伸縮調整桿体と、前記伸縮固定手段とからなり、
（Ｃ−４）該伸縮固定手段は該伸縮調整桿体に付設されているか、または該伸縮固定手段は該伸縮調整桿体とは別個に前記身体支持構造部中に設けられている、ことを特徴とする、スキー練習用具。
【請求項５】
請求項２ないし４のいずれかに記載のスキー練習用具であって、前記側方傾斜調整部は、
（Ｃ−５）前記縦立構造部と前記水平構造部のいずれか一方に対しては、前記弾性部位、ならびに前記伸縮固定手段の双方が備えられ、
（Ｃ−６）他方に対しては、非弾性の連結がなされる非弾性連結手段のみが備えられている、
ことを特徴とする、スキー練習用具。
【請求項６】
請求項５に記載のスキー練習用具であって、前記側方傾斜調整部は、
（Ｃ−７）前記縦立構造部に対しては、前記弾性部位、ならびに前記固定手段の双方が備えられて連結方法を適宜選択可能であり、
（Ｃ−８）前記水平構造部に対しては、前記非弾性連結手段のみが備えられて、これに固定されていることを特徴とする、スキー練習用具。
【請求項７】
請求項１ないし６のいずれかに記載のスキー練習用具であって、
（Ｚ）練習者の左右両側から、または左右両側において、それぞれ身体支持または側方傾斜調整が可能なように、
（Ｚ−１）前記身体支持構造部には左右二の前記縦立構造部が備えられ、
（Ｚ−２）前記側方傾斜調整部は左右二が設けられている、
ことを特徴とする、スキー練習用具。
【請求項８】
請求項７に記載のスキー練習用具であって、
（Ｚ−３）練習者の左右両側から滑走制動が可能なように、前記滑走制動部には左右二の前記ブレーキ部が備えられていることを特徴とする、スキー練習用具。
【請求項９】
請求項７または８に記載のスキー練習用具であって、
（Ａ−４）前記身体支持構造部にはさらに、練習者の脚部が滑走方向に流れることを防止できる、滑走方向ガード部が設けられていることを特徴とする、スキー練習用具。
【請求項１０】
請求項７ないし９のいずれかに記載のスキー練習用具であって、
（Ａ−５）前記身体支持構造部にはさらに、練習者の脚部が滑走側方方向に流れることを防止できる、側方向ガード部が設けられていることを特徴とする、スキー練習用具。
【請求項１１】
請求項１ないし１０のいずれかに記載のスキー練習用具であって、該スキー練習用具にはさらに、（Ｄ）前記補助スキー板部が備えられ、該補助スキー板部は、
（Ｄ−１）前記身体支持構造部のスキー板連結部により連結可能であることを特徴とする、スキー練習用具。
【請求項１２】
請求項１１に記載のスキー練習用具であって、該スキー練習用具にはさらに、
（Ｅ）外部から、本スキー練習用具を用いた滑走を制御を行うための、外部制御手段が備えられ、該外部制御手段は、
（Ｅ−１）前記身体支持構造部に背後方向から着脱自在に連結することのできる制御杆部であることを特徴とする、スキー練習用具。
【請求項１３】
請求項１ないし１２のいずれかに記載のスキー練習用具であって、該スキー練習用具は、
（Ｙ）前述の各構成要素を単位として、再度の組み立て可能に二以上に分解することができることを特徴とする、スキー練習用具。
【請求項１４】
請求項１３に記載のスキー練習用具であって、該スキー練習用具は、
（Ｙ−１）前述の各構成要素が、分解した場合に省スペースの収納を可能とするよう、棒状、杆状または柱状形状に形成されていることを特徴とする、スキー練習用具。
【発明の詳細な説明】
【技術分野】
【０００１】
本発明はスキー練習用具に係り、特に、初心者や身体障害者であっても早期にスキー技術を習得することのできる、スキー練習用具に関する。
【背景技術】
【０００２】
初心者をスキーに慣れさせるためには、転倒を繰り返し、時間と労力をかけた練習を受け入れるか、あるいはまた、平坦な雪上をスキーを履かせて歩かせたり、ストック推進滑走またはストックや指導者の手で体を支えて滑走させる等の相当の努力が必要である。これは、教える指導者側、教わる生徒側双方にとって、体力と気力を要するものである。しかしながら、スキーでの転倒、事故・怪我の発生を防ぐためには、初期の練習は重要であり、スキー指導においてはそこに相当の時間がかかっているのが現状である。
【０００３】
初心者のスキー練習補助を目的とした先行技術の状況を把握するため、下記により検索調査を行った。
使用データベース：特許電子図書館（特許庁）
使用検索メニュー：特許実用新案公報テキスト検索
検索条件：要約＋請求の範囲＝スキー＊練習＊初心＊（具＋装置＋機＋器）
対象公報：特許公開公報、特許公報、実用新案公開公報、実用新案公報
検索日：平成１６年２月１６日
【０００４】
その結果、下記の検索調査結果を得た。
検索結果：４件（公開特許公報、公開実用新案公報）
文献は次の通りである。
１  特開2003-265666 雪上滑走具を用いた模擬滑走装置及び模擬滑走練習方法
２  特開平07-034684 水上スキー用プール
３  実開平07-003690 スキーの逆滑走防止具
４  実開平02-017167スキー用走行補助具
【０００５】
【特許文献１】特開2003-265666号公報。「雪上滑走具を用いた模擬滑走装置及び模擬滑走練習方法」。
【特許文献２】実開平02-017167号公報。「スキー用走行補助具」。
【発明の開示】
【発明が解決しようとする課題】
【０００６】
しかしながら、これらの特許文献は、相当に複雑な装置を用いての模擬的な滑走練習支援を目的としたり、雪上の練習であっても、安全な停止に主眼をおいた技術に係るものであり、従来技術の中には、雪上で、容易、安全かつ早期のスキー技術習得を実現できるものは見受けられない。
【０００７】
本発明が解決しようとする課題は、上記従来技術の問題点を除き、初心者や身体障害者であっても、雪上において、容易、安全かつ早期にスキー技術を習得することのできる、スキー練習用具を提供することである。
【課題を解決するための手段】
【０００８】
本願発明者は上記課題について検討した結果、自転車における補助輪のように側方から滑走を支持する構造、練習者の身体を支持する構造、さらにブレーキ構造等を基礎としてスキー練習用具を構成することによって、上記課題の解決が可能であることを見出し、本発明に至った。すなわち、上記課題を解決するための手段として本願で特許請求される発明は、以下のとおりである。
【０００９】
（１）  スキーの練習用として用いるためのスキー練習用具であって、該スキー練習用具は、
（Ａ）これを用いてスキーの練習をする練習者の身体を直接支持するための身体支持構造部と、
（Ｂ）該身体支持構造部に付設された、スキーの滑走速度を調節するための滑走制動部と、を備えてなり、
該身体支持構造部は、
（Ａ−１）既存のスキー板、または本用具に合わせて用いることのできる補助スキー板部に連結するためのスキー板連結部と、
（Ａ−２）該スキー板連結部から上方に設けられ、後記水平構造部を下方から支持する縦立構造部と、
（Ａ−３）該縦立構造部に支持されて設けられ、その少なくとも一部がグリップ部として該練習者により把握されることのできる水平構造部と、を備え、
該滑走制動部は、
（Ｂ−１）該グリップ部に近接して設けられた、該練習者により操作されることのできる制動操作部と、
（Ｂ−２）該制動操作部と連結され、滑走方向に対して抵抗を生ぜしめるブレーキ部と、を備えている、
ことを特徴とする、スキー練習用具。
【００１０】
ただし、本発明にいう「水平」とは、厳密に水平であることをいうのではなく、本用具がその使用状態において載置される面を水平とした場合に、これと略平行であることをいう。以下においても同様である。
【００１１】
（２）  （１）に記載のスキー練習用具であって、さらに、
（Ｃ）前記縦立構造部と前記水平構造部との間にこれらに連結して設けられ、前記スキー板または補助スキー板部の側方傾斜状態を調整するための側方傾斜調整部を備え、該側方傾斜調整部は、
（Ｃ−１）該水平構造部の水平維持を可能としつつ該縦立構造部を側方に傾斜させることのできるよう、該縦立構造部と該水平構造部の間のいずこかに、長手方向に伸縮可能な弾性部位が一または複数設けられている、
ことを特徴とする、スキー練習用具。
【００１２】
（３）  （２）に記載のスキー練習用具であって、
（Ｃ−２）前記側方傾斜調整部には、前記弾性部位の伸縮変化を起こさせないための伸縮固定手段が設けられていることを特徴とする、スキー練習用具。
（４）  （３）に記載のスキー練習用具であって、
（Ｃ−３）前記側方傾斜調整部は、前記弾性部位の設けられている伸縮調整桿体と、前記伸縮固定手段とからなり、
（Ｃ−４）該伸縮固定手段は該伸縮調整桿体に付設されているか、または該伸縮固定手段は該伸縮調整桿体とは別個に前記身体支持構造部中に設けられている、ことを特徴とする、スキー練習用具。
【００１３】
（５）  （２）ないし（４）のいずれかに記載のスキー練習用具であって、前記側方傾斜調整部は、
（Ｃ−５）前記縦立構造部と前記水平構造部のいずれか一方に対しては、前記弾性部位、ならびに前記伸縮固定手段の双方が備えられ、
（Ｃ−６）他方に対しては、非弾性の連結がなされる非弾性連結手段のみが備えられている、
ことを特徴とする、スキー練習用具。
（６）  （５）に記載のスキー練習用具であって、前記側方傾斜調整部は、
（Ｃ−７）前記縦立構造部に対しては、前記弾性部位、ならびに前記固定手段の双方が備えられて連結方法を適宜選択可能であり、
（Ｃ−８）前記水平構造部に対しては、前記非弾性連結手段のみが備えられて、これに固定されていることを特徴とする、スキー練習用具。
【００１４】
（７）  （１）ないし（６）のいずれかに記載のスキー練習用具であって、
（Ｚ）練習者の左右両側から、または左右両側において、それぞれ身体支持または側方傾斜調整が可能なように、
（Ｚ−１）前記身体支持構造部には左右二の前記縦立構造部が備えられ、
（Ｚ−２）前記側方傾斜調整部は左右二が設けられている、
ことを特徴とする、スキー練習用具。
（８）  （７）に記載のスキー練習用具であって、
（Ｚ−３）練習者の左右両側から滑走制動が可能なように、前記滑走制動部には左右二の前記ブレーキ部が備えられていることを特徴とする、スキー練習用具。
（９）  （７）または（８）に記載のスキー練習用具であって、
（Ａ−４）前記身体支持構造部にはさらに、練習者の脚部が滑走方向に流れることを防止できる、滑走方向ガード部が設けられていることを特徴とする、スキー練習用具。
（１０）  （７）ないし（９）のいずれかに記載のスキー練習用具であって、
（Ａ−５）前記身体支持構造部にはさらに、練習者の脚部が滑走側方方向に流れることを防止できる、側方向ガード部が設けられていることを特徴とする、スキー練習用具。
【００１５】
（１１）  （１）ないし（１０）のいずれかに記載のスキー練習用具であって、該スキー練習用具にはさらに、（Ｄ）前記補助スキー板部が備えられ、該補助スキー板部は、
（Ｄ−１）前記身体支持構造部のスキー板連結部により連結可能であることを特徴とする、スキー練習用具。
（１２）  （１１）に記載のスキー練習用具であって、該スキー練習用具にはさらに、
（Ｅ）外部から、本スキー練習用具を用いた滑走を制御を行うための、外部制御手段が備えられ、該外部制御手段は、
（Ｅ−１）前記身体支持構造部に背後方向から着脱自在に連結することのできる制御杆部であることを特徴とする、スキー練習用具。
【００１６】
（１３）  （１）ないし（１２）のいずれかに記載のスキー練習用具であって、該スキー練習用具は、
（Ｙ）前述の各構成要素を単位として、再度の組み立て可能に二以上に分解することができることを特徴とする、スキー練習用具。
（１４）  （１３）に記載のスキー練習用具であって、該スキー練習用具は、
（Ｙ−１）前述の各構成要素が、分解した場合に省スペースの収納を可能とするよう、棒状、杆状または柱状形状に形成されていることを特徴とする、スキー練習用具。
【発明の効果】
【００１７】
本発明のスキー練習用具は上述のように構成されるため、これによれば、初心者や、盲目の方等の身体障害者であっても、雪上において、容易、安全かつ早期にスキー技術を習得することができる。具体的には、滑走中の転倒を有効に防止することができるため、恐怖心なく、スキーバランス感覚と方向変化の要領を簡単に理解することができ、楽しみながら安全にスキー技術を習得することができる。
【００１８】
従来は、初心者が単独で数十メートル程度滑走できるようになるには、通常２日間程度を要したが、本発明スキー練習用具によれば、約２、３時間程度で一定のスキーバランス感覚や方向変化の要領が理解できるため、大幅な練習時間短縮、指導者の労力軽減、費用軽減となる。
【００１９】
前述した、滑ることに対する恐怖心の解消は、初心者が、構えのないリラックスした姿勢を当初からとることを可能とするため、癖のない正しい基本姿勢を習得することにもつながる。
【００２０】
本スキー練習用具によれば、盲目等の身体障害者であっても、スキーを楽しむことができ、つまり、誰もが安全に楽しみながらスキー技術を習得できるため、スキー人口の増加にも大いに寄与する。
【００２１】
本発明スキー練習用具は構造が簡単であり、組み立て式とすることができるため、自家用自動車等によるスキー場への持ち運び、スキーリフトでの高所への運搬にも便利である。
【００２２】
また、初心者等が個人単独で練習することも、指導者による補助操作を受けつつ練習することもでき、練習方法にも自由度が大きい。
【発明を実施するための最良の形態】
【００２３】
以下、本発明を図面により詳細に説明する。
図１は、本発明のスキー練習用具の基本的構成を示す説明図である。図において本スキー練習用具１０は、これを用いてスキーの練習をする練習者の身体を直接支持するための身体支持構造部１２と、該身体支持構造部１２に付設された、スキーの滑走速度を調節するための滑走制動部１３と、を備えてなり、該身体支持構造部１２は、既存のスキー板、または本用具に合わせて用いることのできる補助スキー板部に連結するためのスキー板連結部１２１と、該スキー板連結部１２１から上方に設けられ、後記水平構造部１２４を下方から支持する縦立構造部１２３と、該縦立構造部１２３に支持されて設けられ、その少なくとも一部がグリップ部１２５として該練習者により把握されることのできる水平構造部１２４と、を備え、該滑走制動部１３は、該グリップ部１２５に近接して設けられた、該練習者により操作されることのできる制動操作部１３６と、該制動操作部１３６と連結され、滑走方向に対して抵抗を生ぜしめるブレーキ部１３７と、を備えていることを、主たる構成とする（上記（１）の発明）。
【００２４】
かかる構成により本スキー練習用具１０では、身体支持構造部１２によって練習者の身体が直接支持され、滑走制動部１３によってスキーの滑走速度が調節される。そして、スキー板連結部１２１によって該身体支持構造部１２は、既存のスキー板または前記補助スキー板部に連結され、縦立構造部１２３によって水平構造部１２４が下方から支持され、グリップ部１２５において練習者により水平構造部１２４の把握がなされる。また、制動操作部１３６によって練習者によるブレーキ操作がなされ、該制動操作部１３６と連結されたブレーキ部１３７が作動して滑走方向に対して抵抗が生じ、ブレーキ作用がなされる。
【００２５】
図示するように本発明スキー練習用具１０は、それぞれ一のスキー板に取り付けることのできる単位を、左右合わせて二体用いて一体に合体させてなる構造とすることができる。ここで、該水平構造部１２４同士を容易に相互に連結し得る構造としておくことにより、本発明が目的とする用具を、充分に構成することができる。該スキー板連結部１２１は、既存のスキー板に連結可能なように構成することによって、本用具１０の汎用性を高めることができる。
【００２６】
図２は、本発明のスキー練習用具の別の構成について示す説明図である。図において本用具２０は、図１で示した構成に加えて、前記縦立構造部２２３と前記水平構造部２２４との間に、これらに連結して設けられ、前記スキー板または補助スキー板部（以下、「スキー板等」ともいう。）の側方傾斜状態を調整するための側方傾斜調整部２４を備え、該側方傾斜調整部２４は、該水平構造部２２４の水平維持を可能としつつ該縦立構造部２２３を側方に傾斜させることのできるよう、該縦立構造部２２３と該水平構造部２２４の間のいずこかに、長手方向に伸縮可能な弾性部位２４８が一または複数設けられていることを、主たる構成とする（上記（２）の発明）。
【００２７】
かかる構成により本スキー練習用具２０では、側方傾斜調整部２４によって該スキー板等の側方傾斜状態が調整される。つまり該側方傾斜調整部２４の作用により、スキー滑走におけるターンを可能とする、スキー板の滑走方向側方への傾斜状態が調整される。また、弾性部位２４８によって、該水平構造部２２４の水平維持を可能としつつ、該縦立構造部２２３を側方に傾斜させることが可能となる。
【００２８】
つまりスキー滑走では、左右二のスキー板がともに、滑走面に接地している必要があり、その状態でスキー板等が側方に傾斜することによってターンがなされる。該弾性部位２４８が設けられることにより、該水平構造部２２４は接地面との略平行（水平）状態を維持しながら、左右二の弾性部位２４８のうち傾斜方向の弾性部位２４８は収縮し、一方反対側の弾性部位２４８は伸びて、左右のスキー板等の等しい傾斜がなされる。
【００２９】
該弾性部位２４８は一定の反力を有するため、急激な傾斜や過剰な傾斜の抑制作用も有し、練習者にとっての安全装置の一つとしても機能する。
【００３０】
図３（ａ）、（ｂ）は、本発明スキー練習用具の側方傾斜調整部の要部構成例を示す説明図である。これらの図において本スキー練習用具３０ａ等には、前記構成に加えて、前記側方傾斜調整部３４ａ等に、前記弾性部位３４８ａ等の伸縮変化を起こさせないための伸縮固定手段３４９ａ等を設けることができる（上記（３）の発明）。
【００３１】
かかる構成により該側方傾斜調整部３４ａ等は、ターン練習のためにスキー板等を自在に傾斜させたい場合は、該弾性部位３４８ａ等の伸縮作用を起こさせ、一方ターン練習なしに滑走させたい場合は、該伸縮固定手段３４９ａ等による伸縮防止作用を起こさせることが、自由自在にできる。
【００３２】
図３（ａ）において、該側方傾斜調整部３４ａは、前記弾性部位３４８ａの設けられている伸縮調整桿体３４１ａと、前記伸縮固定手段３４９ａとからなり、該伸縮固定手段３４９ａは該伸縮調整桿体３４１ａに付設された構成とすることができる（上記（４）の発明）。
【００３３】
かかる構成により、該弾性部位３４８ａの伸縮の固定は、該伸縮調整桿体３４１ａに付設された該伸縮固定手段３４９ａを、図のように該弾性部位３４８ａの変化を規制することのできる箇所に固定することで、行うことが可能である。
【００３４】
図３（ｂ）において、該側方傾斜調整部３４ｂは、前記弾性部位３４８ｂの設けられている伸縮調整桿体３４１ｂと、前記伸縮固定手段３４９ｂとからなり、該伸縮固定手段３４９ｂは該伸縮調整桿体３４１ｂとは別個に前記身体支持構造部中に設けられた構成とすることができる（上記（４）の発明）。
【００３５】
かかる構成により、該弾性部位３４８ｂの伸縮の固定は、該伸縮調整桿体３４１ｂとは別個に該身体支持構造部中に設けられた該伸縮固定手段３４９ｂを、図のように該弾性部位３４８ａの変化を規制することのできる箇所に固定することで、行うことが可能である。
【００３６】
図４（ｉ）〜（iv）は、本発明スキー練習用具における側方傾斜調整部の基本的な作動について示す説明図である。図において本スキー練習用具４０では、前記側方傾斜調整部４４が、前記縦立構造部４２３と前記水平構造部４２４のいずれか一方に対しては前記弾性部位４４８ならびに前記伸縮固定手段４４９の双方が備えられ、他方に対しては非弾性の連結がなされる非弾性連結手段４４７のみが備えられた構成とすることができる（上記（５）の発明）。
【００３７】
これらの図において該側方傾斜調整部４４は、特に、該縦立構造部４２３に対しては、該弾性部位４４８ならびに該固定手段４４９の双方が備えられて連結方法を適宜選択可能であり、一方該水平構造部４２４に対しては、該非弾性連結手段４４７のみが備えられてれに固定された構成とすることができる（上記（６）の発明）。
【００３８】
図４（ｉ）〜（iv）には特に、該縦立構造部４２３において連結方法の選択可能な構成の例を示す。該縦立構造部４２３が直立している状態において、該側方傾斜調整部４４、該縦立構造部４２３、該水平構造部４２４によって囲まれてなる三角形の二辺を、図４（ii）のようにｂ、cとし、該側方傾斜調整部の長さをａとする。各図で、ｂ、ｃは長さが固定されているが、ａと同一直線上にある残りの辺の長さは、図４（iii）、（iv）のように変化する。該弾性部位４４８の伸縮に伴い、該縦立構造部４２３の傾斜状態が変化し、それにつれて連結（４２１）されたスキー板等も傾斜状態が変化する。
【００３９】
図５は、本発明のスキー練習用具のまた別の構成例を示す説明図である。図において本用具５０は、上述の構成に加え、前記身体支持構造部５２には左右二の前記縦立構造部５２３Ｌ、５２３Ｒが備えられ、また、前記側方傾斜調整部５４Ｌ、５４Ｒは左右二が設けられた構成とすることができることは、いうまでもない（上記（７）の発明）。かかる構成によって、練習者の左右両側から、または左右両側において、それぞれ身体支持または側方傾斜調整が可能となる。
【００４０】
図示するように本スキー練習用具５０は、前記滑走制動部には左右二の前記ブレーキ部５３７Ｌ、５３７Ｒを備えた構成とすることができる（上記（８）の発明）。これにより、練習者の左右両側から、より円滑かつ安全な滑走制動が可能となる。
【００４１】
図示するように本スキー練習用具５０は、該身体支持構造部５２にはさらに、滑走方向ガード部５２６Ｌ、５２６Ｒを設けた構成とすることができる（上記（９）の発明）。これにより、練習者の脚部が滑走方向に流れることが防止される。
【００４２】
また、該身体支持構造部５２にはさらに、側方向ガード部５２７Ｌ、５２７Ｒを設けた構成とすることができる（上記（１０）の発明）。これにより、練習者の脚部が滑走側方方向に流れることが防止される。
【００４３】
図６は、本発明スキー練習用具の、さらにまた別の構成例を示す説明図である。図において本用具６０には、上述の構成に加え、前記補助スキー板部６５がそもそも備えられるものとし、該補助スキー板部６５は、前記身体支持構造部６２のスキー板連結部６２１により連結可能な構成とすることができる（上記（１１）の発明）。つまり、前記スキー板等として汎用的なものを用いることも、専用のものを用いてそれを含んでスキー練習用具とすることも、本発明では可能である。
【００４４】
図において本スキー練習用具６０には、外部制御手段６６を備え、該外部制御手段６６には、前記身体支持構造部６２に背後方向から着脱自在に連結することのできる制御杆部６６２を用いることができる（上記（１２）の発明）。これにより、該制御杆部６６２を外部から把持・操作して、外部から、本スキー練習用具を用いた練習者の滑走速度、滑走方向等を、適宜制御することができ、スキー指導に便利である。
【００４５】
図７は、本発明スキー練習用具の具体的な構成の一例を示す説明図である。図のように本スキー練習用具７０は、以上説明したような各構成要素を単位として、再度の組み立て可能に二以上に分解することができる構成をとることができる（上記（１３）の発明）。そして図のように、これらの各構成要素は、分解した場合に省スペースの収納を可能とするよう、さらにまた、スキー場への運搬、高所への運搬に便利なように、棒状、杆状または柱状形状に形成されたものとすることができる（上記（１４）の発明）。
【実施例】
【００４６】
以下、図７に示した例をより詳細に説明するが、本発明がかかる実施例に限定されないことはいうまでもない。また、以下の説明においては、これまでの説明に用いた用語とは異なる用語を適宜使用する。
【００４７】
図８、９は、前掲図７に示した組み立て式スキー練習用具の各部品の詳細な説明図である。図示されるように本例スキー練習用具７０の基本構成は、補助スキー板８６、略Ｕ字型の支柱パイプ（おおむね、身体支持構造部）（８５）、グリップバー用パイプ（グリップ部、水平構造部）（８５）、ストッパー用パイプとストッパーレバー（滑走制動部）（８１等）、スキー板固定パイプ（縦立構造部の一部）（８４）からなる。これに、ターン練習のためのスライドスプリングレールバーを中心とする部分（側方傾斜調整部）（８２）がさらに備えられ、転倒防止用の脚当（滑走方向ガード部）、スキースタンス調整用のスキースタンス調整バー（側方向ガード部）を含む部分（８３）が付加される。脚当等には、たとえばポリウレタンなど、柔軟な材料を用いることができる。さらに、ガイド補助パイプ（制御杆部）（８７）を付加することもできる。用具構成は明確であり、初心者であってもこれを容易に組み立てて使用することができる。
【００４８】
これらの部材は金属製パイプとすることができるが、材料および構成はそれに限定されず、炭素繊維強化プラスチックその他の適宜の材料または形状のものを用いることができる。
【００４９】
また、たとえば支柱パイプ・グリップバー（８５）などは折り畳み式とすることにより、収納・運搬がより便利となる。
【００５０】
下記は、主たる用具構成例である。
（ア）補助スキー板（８６）／２本、（イ）Ｕ字型の支柱パイプ（８５）／２セット、（ウ）グリップバー用パイプ（８５）／１本、（エ）ストッパー用パイプ（８４３）／１本、（オ）ストッパーレバー（８１）／１本、（カ）スキー固定パイプ（８４）／１セット、（キ）ガイド補助パイプ（８７）／２本
【００５１】
かかる用具の組み立て方法例は、下記のとおりである。
（Ｉ）平らな雪面で、補助スキー板二枚にＵ字型支柱パイプをボルトにより固定する。
（II）ストッパー用パイプをパイプ受けに差し込む。
（III）グリップバー用パイプにグリップがはめ込まれ、Ｕ字型支柱パイプにこれらがボルトによって締め付け固定された状態とする。
（IV）スキー固定パイプを補助スキー板二枚にボルトにより締め付け固定する。
（Ｖ）ストッパーレバーをレバー受けに差し込む。
（VI）ガイド補助パイプ二本をＵ字型支柱パイプにセットする。
以上で組み立て完了である。
【００５２】
図１０は、本例スキー練習用具７０を組み立てた状態の図である。練習者は自身のスキーを履き、組み立てられた本用具７０のグリップ８５５を握って滑走する。全体構造および脚当８３２、スキースタンス調整バー８３１等により身体が各方向から支持され、どうあっても転倒しようのない状態で、練習者は滑走することができる。
【００５３】
さらに、スライドスプリングレールバー８２等からなる側方傾斜調整部により、方向転換（ターン）の技術を、転倒危険性のない状態で習得することができる。滑走速度が過大になった場合など、必要に応じて適宜ストップレバー８１を操作することにより、ストッパー８４３が作動し、円滑かつ安全に制動がなされる。転倒や速度の恐怖を抱くことなく楽しく滑走することが可能なため、スキーバランス感覚と方向転換の要領の理解も促進される。
【００５４】
図１１は、スライドスプリングレールバー付近の部分を示す図である。スライドスプリングレールバー８２には、支柱パイプへの連結手段として、スライドスプリング８５２、およびスライドレール８２１の二種類がある。ターンの練習を可能とするためにスライドスプリング８５２の伸縮を機能させるには、スライドレール８２１のスライド固定ボルト８２３による固定を行わなければよい。一方、スライドスプリング８５２の伸縮をさせないためには、スライド固定ボルト８２３による固定を行えばよい。
【００５５】
図１２は、補助ガイドバーを装着した使用例を示す図である。補助ガイドバー８７は、支柱パイプに補助ガイドバーセット止金８７１によって、ワンタッチで取り付ける構成とすることができる。このように、外部から指導者が指導する必要のある場合は、練習者がまだ方向転換技術を習得していない場合がある。そのような場合は、スライドスプリングレールバー８２をスライド固定ボルト８２３により固定して用具が側方に傾斜しないようにし、方向転換は、補助ガイドバー８７の操作によって制御することができる。指導者は、練習者を前方に見て公報から操作・指導することができ、指導に充分な注意を傾け、かつ効果的な指導を行うことができる。
【００５６】
図１３は、補助ガイドバーを装着せずに練習者が単独で練習する場合の使用例を示す図である。スライド固定ボルトは緩めて、スライドスプリングレールバー８２がスライドスプリング８５２によりスライドできるようにしておく。練習者が上体をグリップ８５５に乗りかかるようにして傾けることにより、グリップバー８５１が水平にスライドし、補助スキー板８６のスキーエッジが雪を強く噛み、スキーワイドサイドカーブにより、用具全体がターンできる。図中、θは傾ける角度である。
【００５７】
図１４は、図１３の状態を練習者の背面から示した図である。練習者が上体を左方に角度θ分傾けることにより、グリップ８５５は左方にスライドし、同時に用具全体が左方にスライドし、このとき左方のスライドスプリング８５２は収縮し、右方のそれは引き伸びた状態となっている。傾ける力を抜くと、グリップ８５５等は、スライドスプリング８５２の弾性により、センター位置に戻る。また、傾ける角度θの大小により、大小の弧（ターン）を適宜選択することができ、このような操作を通して、自然にターンの感覚が理解され、技術が習得される。
【００５８】
図１５は、単独で練習する場合の使用例を示す図である。既に述べたように、用具全体が左右にターンできるため、初心者であってもそれに誘導されて、効果的にターンの練習をすることができる。また、初心者のみならず、スキー本流のカービングスキー技術中級レベルの基本練習程度であれば、本用具で十分満足な練習を行うことができる。
【００５９】
図において、ストッパーレバー８１の調整を加減することでストッパー８４３の効き具合を調整でき、滑走速度を制御しつつ練習することができる。
【産業上の利用可能性】
【００６０】
本発明のスキー練習用具によれば、上述の各効果を有するため、スキー人口の増加に寄与でき、製造業、サービス業を含めて関連産業の振興が図られ、産業上利用価値が極めて高い発明である。
【図面の簡単な説明】
【００６１】
【図１】本発明のスキー練習用具の基本的構成を示す説明図である。
【図２】本発明のスキー練習用具の別の構成について示す説明図である。
【図３（ａ）】本発明スキー練習用具の側方傾斜調整部の要部構成例を示す説明図である。
【図３（ｂ）】本発明スキー練習用具の側方傾斜調整部の要部構成例を示す説明図である。
【００６２】
【図４（ｉ）】本発明スキー練習用具における側方傾斜調整部の基本的な作動について示す説明図である。
【図４（ｉｉ）】本発明スキー練習用具における側方傾斜調整部の基本的な作動について示す説明図である。
【図４（ｉｉｉ）】本発明スキー練習用具における側方傾斜調整部の基本的な作動について示す説明図である。
【図４（ｉｖ）】本発明スキー練習用具における側方傾斜調整部の基本的な作動について示す説明図である。
【図５】本発明のスキー練習用具のまた別の構成例を示す説明図である。
【図６】本発明スキー練習用具のさらにまた別の構成例を示す説明図である。
【００６３】
【図７】本発明スキー練習用具の具体的な構成の一例を示す説明図である。
【図８】前掲図７に示した組み立て式スキー練習用具の各部品の詳細な説明図である。
【図９】前掲図７に示した組み立て式スキー練習用具の各部品の詳細な説明図である。
【図１０】本例スキー練習用具を組み立てた状態の図である。
【図１１】スライドスプリングレールバー付近の部分を示す図である。
【図１２】補助ガイドバーを装着した使用例を示す図である。
【図１３】補助ガイドバーを装着せずに練習者が単独で練習する場合の使用例を示す図である。
【図１４】図１３の状態を練習者の背面から示した図である。
【図１５】単独で練習する場合の使用例を示す図である。
【符号の説明】
【００６４】
１０、２０、３０ａ、３０ｂ、４０、５０、６０、７０…スキー練習用具
１２、２２、５２、６２…身体支持構造部
１３、２３…滑走制動部
１２１、２２１、６２１…スキー板連結部
１２３、２２３、３２３ｂ、４２３、５２３Ｌ、５２３Ｒ、６２３…縦立構造部
１２４、２２４、３２４ｂ、４２４、５２４、６２４…水平構造部
１２５、２２５、５２５Ｌ、５２５Ｒ…グリップ部
１３６、２３６、５３６Ｌ、５３６Ｒ…制動操作部
１３７、２３７、５３７Ｌ、５３７Ｒ、６３７…ブレーキ部
２４、３４ａ、３４ｂ、４４、５４Ｌ、５４Ｒ、６４…側方傾斜調整部
２４８、３４８ａ、３４８ｂ、４４８、６４８Ｓ、６４８Ｔ…弾性部位
３４９ａ、３４９ｂ、４４９…伸縮固定手段
３４１ａ、３４１ｂ…伸縮調整桿体
４４７…非弾性連結手段
５２６Ｌ、５２６Ｒ…滑走方向ガード部
５２７Ｌ、５２７Ｒ…側方向ガード部
６５…補助スキー板部
６６…外部制御手段
６６２…制御杆部
【００６５】
８１…ストッパーレバー
８１１…ストッパーレバー調整鎖
８２…スライドスプリングレールバー
８２１…スライドレール
８２２…スプリングバー
８２３…スライド固定ボルト
８３…脚当転倒防止バー
８３１…スキースタンス調整バー
８３２…脚当
８４…補助スキー板固定バーセット
８４１…ストッパーレバー受
８４２…ストッパー用スプリング
８４３…ストッパー
８５…支柱パイプ・グリップバーセット
８５２…スライド用スプリング
８５５…グリップ
８６…補助スキー板
８６１…補助スキー板固定金具
８７…補助ガイドバー
８７１…取り外しワンタッチ金具
ａ…図４における側方傾斜調整部４４の長さ
ｂ、c…図４における三角形の各辺
θ…傾ける角度
【図１】
2005270131.tif 000003
【図２】
2005270131.tif 000004
【図３（ａ）】
2005270131.tif 000005
【図３（ｂ）】
2005270131.tif 000006
【図４（ｉ）】
2005270131.tif 000007
【図４（ｉｉ）】
2005270131.tif 000008
【図４（ｉｉｉ）】
2005270131.tif 000009
【図４（ｉｖ）】
2005270131.tif 000010
【図５】
2005270131.tif 000011
【図６】
2005270131.tif 000012
【図７】
2005270131.tif 000013
【図８】
2005270131.tif 000014
【図９】
2005270131.tif 000015
【図１０】
2005270131.tif 000016
【図１１】
2005270131.tif 000017
【図１２】
2005270131.tif 000018
【図１３】
2005270131.tif 000019
【図１４】
2005270131.tif 000020
【図１５】
2005270131.tif 000021